(57)【特許請求の範囲】
【請求項１】
複数のボイド部を有し隣り合うボイド部どうしの間にリブ部が設けられたボイドスラブと、複数の床支持具を介して前記ボイドスラブに支持され前記ボイドスラブの上方に前記ボイドスラブから離隔して設けられた床材とから成る防振二重床の施工方法において、
デッキプレートを建て込み、
前記デッキプレート上に、前記ボイドスラブを構築するための鉄筋と、前記複数のボイド部を画成するための複数の中空部材とを配設し、前記鉄筋には、前記ボイドスラブの完成後に前記リブ部に埋設されることになるリブ部鉄筋が含まれており、
前記リブ部鉄筋に、前記複数の床支持具の下端部分を固定し、それら複数の床支持具の上端部分は、前記ボイドスラブの完成後に前記ボイドスラブの上面から上方へ突出するようにしておき、
前記デッキプレート上に、前記ボイドスラブを構築するためのコンクリートを打設して前記ボイドスラブを完成させ、
前記複数の床支持具の上端に取付けられた防振材上に前記床材を支持する、
ことを特徴とする防振二重床の施工方法。
【請求項２】
前記床支持具は、該床支持具の下端部分を構成する雌ねじ部材と、該床支持具の上端部分を構成する前記雌ねじ部材に螺合する雄ねじ部材とを含んでおり、
前記リブ部鉄筋に前記床支持具の下端部分を固定する際には、該床支持具の雄ねじ部材を取り外した雌ねじ部材だけを固定し、前記ボイドスラブの完成後に雌ねじ部材に雄ねじ部材を螺合させる、
ことを特徴とする請求項１記載の防振二重床の施工方法。
【請求項３】
前記防振材の上部に、該防振材の断面積よりも大きな面積のベースプレートを取着し、前記床材を前記ベースプレートの上面で支持することを特徴とする請求項１記載の防振二重床の施工方法。
【請求項４】
前記防振材は球形に形成されていることを特徴とする請求項１記載の防振二重床の施工方法。
【発明の詳細な説明】
【０００１】
【発明の属する技術分野】
本発明は、防振二重床の施工方法に関するものである。
【０００２】
【従来の技術】
図５に示すように、従来の防振二重床は、建物のボイドスラブ２の上面に複数の床支持具４を載置し、これら複数の床支持具４の上部で床材６を支持することで構成され、その施工は次のように行なわれている。
前記ボイドスラブ２は、デッキプレート２０６上に多数の鉄筋２０２Ａを配筋するとともに、ボイド部２１０を形成するための複数の中空部材２０４を前記鉄筋２０２により固定し、さらに、中空部材２０４の間にオムニア鉄筋２０２Ｂを配筋し、これらが埋設されるようにデッキプレート２０６上にコンクリートを打設することによって施工され、中空部材２４によってボイド部２１０が形成され、ボイド部２１０とボイド部２１０の間にリブ部２１２が形成される。
【０００３】
前記床支持具４は、上部の支持脚４０２と、下部の防振足４０４とで構成され、前記支持脚４０２は、該床支持具４の高さが調節できるようにその両端に雄ねじが形成され、前記防振足４０４は、前記支持脚４０２の雄ねじが螺合される受け金具が嵌め込まれた防振ゴムなどで構成されている。
前記床材６の下部はパーティクルボードなどの下地ボード６０２で構成され、この下地ボード６０２には受け金具が嵌め込まれており、この受け金具に形成された雌ねじに前記支持脚４０２の上端の雄ねじを螺合することによって、床支持具４は前記下地ボード６０２に取り付けられ、これにより床支持具４の配設がなされる。
そして、防振足４０４をボイドスラブ２の上面に載せてボイドスラブ２の上方に床支持具４を介して下地ボード６０２を置き並べ、前記下地ボード６０２の上に捨て貼り合板などの板材６０４を貼り付けることによって仕上げ床下地を構成し、その上にフローリング６０６を貼り付け、これにより防振二重床が施工される。
あるいは、床支持具４の上部に平板上のボード受け金具を設けるとともに、該ボード受け金具にボード受け板を介して下地ボードを敷き込み、前記下地ボード６０２の上に、上記と同様に板材６０４を貼り付けることによって仕上げ床下地を構成し、その上にフローリング６０６を貼り付け、これにより防振二重床が施工される。
【０００４】
【発明が解決しようとする課題】
このようにボイドスラブ２の上面に複数の床支持具４を載置し、これら複数の床支持具４で床材６を支持する場合には、前記床支持具４の防振足４０４が中空部材２４によって形成されるボイド部２１０の上に置かれる場合と、ボイド部２１０とボイド部２１０の間に形成されるコンクリートの厚みが厚いリブ部２１２の上に置かれる場合とがある。
図６は前記床材６の上の部屋で床材６に衝撃を加えた場合に、ボイドスラブ２の下の下階室に伝達される床衝撃音レベルの測定結果を示す線図であり、横軸に床衝撃音のオクターブバンド中心周波数をとり、縦軸に床衝撃音レベルをとっている。
図中、●は床支持具４の防振足４０４がボイド部２１０の上に置かれた場合、○は床支持具４の防振足４０４がリブ部２１２の上に置かれた場合を示す。
図６に示されているように、床衝撃音の周波数が１ｋＨｚから４ｋＨｚの範囲において、床支持具４の防振足４４がボイド部２１０の上に置かれた場合の床衝撃音レベルが床支持具４の防振足４４がリブ部２１２の上に置かれた場合の床衝撃音レベルよりも大きい傾向となっている。
従来、防振足４０４の配置間隔はほぼ決まっているので、前記床支持具４の防振足４０４をボイド部２１０の上を避けてリブ部２１２の上に配置することは難しかった。また、防振足４０４を任意に配置できる場合であっても、コンクリート打設後にリブ部２１２の位置を探してボイドスラブ２上にマーキングすることは施工上手間がかかるという問題があった。
本発明はこのような事情に鑑みてなされたものであり、その目的は床衝撃音遮断性能を向上することができるとともに、施工が容易な防振二重床、床支持具および防振二重床の施工方法を提供することにある。
【０００５】
【課題を解決するための手段】
本発明は、上記目的を達成するために、複数のボイド部を有し隣り合うボイド部どうしの間にリブ部が設けられたボイドスラブと、複数の床支持具を介して前記ボイドスラブに支持され前記ボイドスラブの上方に前記ボイドスラブから離隔して設けられた床材とから成る防振二重床の施工方法において、デッキプレートを建て込み、前記デッキプレート上に、前記ボイドスラブを構築するための鉄筋と、前記複数のボイド部を画成するための複数の中空部材とを配設し、前記鉄筋には、前記ボイドスラブの完成後に前記リブ部に埋設されることになるリブ部鉄筋が含まれており、前記リブ部鉄筋に、前記複数の床支持具の下端部分を固定し、それら複数の床支持具の上端部分は、前記ボイドスラブの完成後に前記ボイドスラブの上面から上方へ突出するようにしておき、前記デッキプレート上に、前記ボイドスラブを構築するためのコンクリートを打設して前記ボイドスラブを完成させ、前記複数の床支持具の上端に取付けられた防振材上に前記床材を支持することを特徴とする。
【０００６】
また、本発明の防振二重床の施工方法は、前記床支持具が、該床支持具の下端部分を構成する雌ねじ部材と、該床支持具の上端部分を構成する前記雌ねじ部材に螺合する雄ねじ部材とを含んでおり、前記リブ部鉄筋に前記床支持具の下端部分を固定する際には、該床支持具の雄ねじ部材を取り外した雌ねじ部材だけを固定し、前記ボイドスラブの完成後に雌ねじ部材に雄ねじ部材を螺合させることを特徴とする。
【０００７】
また、本発明の防振二重床の施工方法は、前記防振材の上部に、該防振材の断面積よりも大きな面積のベースプレートを取着し、前記床材を前記ベースプレートの上面で支持することを特徴とする。
また、本発明の防振二重床の施工方法は、前記防振材が球形に形成されていることを特徴とする。
本発明の防振二重床の施工方法によれば、複数の床支持具を簡単かつ確実にボイドスラブのリブ部に配設でき、床衝撃音遮断特性に優れた防振二重床を簡単かつ確実に得られる。
【０００８】
【発明の実施の形態】
次に、本発明の防振二重床の施工方法の好適な実施の形態を図面を参照して説明する。
まず、第１の実施の形態から説明すると、図１は防振二重床の全体構成を示す説明図であり、図２は図１のＡ部の拡大図である。
防振二重床１００は、ボイドスラブ１０と、該ボイドスラブ１０に下部が埋設された床支持具２０と、該床支持具２０の上部に支持された床材３０とから構成されている。
図１から明らかなように、床材３０は、複数の床支持具２０を介してボイドスラブ１０に支持されており、このボイドスラブ１０の上方に、このボイドスラブ１０から離隔して設けられている。
前記ボイドスラブ１０は、デッキプレート１００２と、該デッキプレート１００２の上に配筋された多数の鉄筋１００４と、該デッキプレート１００２の上に配設された複数の中空部材１００６と、これら鉄筋１００４と中空部材１００６を埋設するようにデッキプレート１００２の上に打設されるコンクリート１００８とから構成されている。
後述するように、中空部材１００６は、ボイドスラブ１０の複数のボイド部１０１０を画成するための部材であり、隣り合うボイド部１０１０どうしの間にはリブ部１０１２が設けられている。
【０００９】
前記デッキプレート１００２は例えば鉄板などで矩形薄板状に形成されている。
前記鉄筋１００４は、下部鉄筋１００４Ａ、上部鉄筋１００４Ｂ、オムニア鉄筋１００４Ｃなどから構成されている。
図１に示すように、前記下部鉄筋１００４Ａは、前記デッキプレート１００２の上面に格子状に配設され、前記上部鉄筋１００４Ｂはボイドスラブ１０の上面付近に位置するように格子状に配設されている。
図１、図２に示すように、オムニア鉄筋１００４Ｃは、１本の上弦材と、２本の下弦材と、これら上弦材と下弦材とを連結する斜め材とからその輪郭が三角柱をなすごとく細長形状に形成され、オムニア鉄筋１００４Ｃは、その長手方向を平行させて複数配設され、下部鉄筋１００４Ａ上に固定されている。
【００１０】
前記中空部材１００６は、前記下部鉄筋１００４Ａの上で前記隣り合うオムニア鉄筋１００４Ｃの間に配設され、前記下部鉄筋１００４Ａや上部鉄筋１００４Ｂを介してデッキプレート１００２上に固定されている。
従って、オムニア鉄筋１００４Ｃは、ボイドスラブ１０の完成後にリブ部１０１２に埋設されることになるリブ部鉄筋である。
【００１１】
前記床支持具２０は、前記コンクリート１００８に埋設される雌ねじ部材２００２と、この雌ねじ部材２００２に螺合する雄ねじ部材２００４と、該雄ねじ部材２００４の上部に固定された防振材２００６と、該防振材２００６の上部に固定されたべースプレート２００８とを備えて構成されている。
従って、床支持具２０は、この床支持具２０の下端部分を構成する雌ねじ部材２００２と、この床支持具２０の上端部分を構成する、雌ねじ部材２００２に螺合する雄ねじ部材２００４とを含んでいる。
前記雌ねじ部材２００２は、図２に示すように、前記隣り合う中空部材１００６の間において、軸線が鉛直方向に向くように少なくとも前記上部鉄筋１００４Ｂやオムニア鉄筋１００４Ｃに溶接または結束などによって固定され、前記雌ねじ部材２００２は、開放された上端がボイドスラブ１０の上面に臨むように配設されている。
雌ねじ部材２００２は中空の円筒状に構成され、その内周面に雌ねじが形成されている。
また、雌ねじ部材２００２の雌ねじに螺合することにより前記雌ねじ部材２００２の内部を閉塞するキャップ２０１０が着脱可能に設けられている。
【００１２】
前記雄ねじ部材２００４は、軸状に形成されその両端に雄ねじが設けられている。一方の雄ねじ２００４Ａは前記雌ねじ部材２００２の雌ねじに螺合するように構成され、他方の雄ねじ２００４Ｂは前記防振材２００６に設けられた雌ねじに螺合するように構成されている。
したがって、前記雄ねじ部材２００４と前記雌ねじ部材２００２との螺合量を変えることにより前記雄ねじ部材２００４の前記雌ねじ部材２００２に対する高さ方向の位置を調整することができるように構成されている。
【００１３】
前記防振材２００６は、幅の広い上部と、幅の狭い下部とを有する截頭円錐形の圧縮型防振ゴムまたはせん断型防振ゴムから構成されている。前記上部は前記ベースプレート２００８の下面に固定され、前記下部には前記雄ねじ２００４Ｂに螺合する前記雌ねじが前記截頭円錐形の軸線に沿って形成されている。
前記ベースプレート２００８は、防振材２００６の断面積よりも大きな面積の平板状に形成され、その上面で床材３０を支持するように構成されている。
前記床材３０は、パーティクルボードなどからなる下地ボード３００２と、下地ボード３００２の上面に張り合わされることで下地ボード３００２を一体化する捨張り合板３００４と、捨張り合板３００４の上面に張り合わされるフローリング３００６とから構成される。
【００１４】
次に、防振二重床の施工方法について説明する。
まず、建築物の所要位置に複数のデッキプレート１００２を建て込む。
次いで、前記デッキプレート１００２の上面に前記下部鉄筋１００４Ａを配設してデッキプレート１００２に溶接などにより固定する。
次いで、前記下部鉄筋１００４Ａの上側に前記オムニア鉄筋１００４Ｃを配設し、オムニア鉄筋１００４Ｃを下部鉄筋１００４Ａに溶接などにより固定する。次に、前記オムニア鉄筋１００４Ｃの間に前記中空部材１００６を配設する。次に、前記中空部材１００６の上方に前記上部鉄筋１００４Ｂを配設し、中空部材１００６を上部鉄筋１００４Ｂやオムニア鉄筋１００４Ｃなどにより固定する。
【００１５】
次に、互いに隣接する前記中空部材１００６の間において、前記床支持具２０の雌ねじ部材２００２をその雌ねじが上方に臨んで鉛直方向に起立した状態に保持して、前記雌ねじ部材２００２の底部を前記オムニア鉄筋１００４Ｃの上弦材に、雌ねじ部材２００２の上部を前記上部鉄筋１００４Ｂに、それぞれ溶接または結束などによって固定する。
前記雌ねじ部材２００２の固定は、該雌ねじ部材２００２の上端が、得られるボイドスラブ１０の上面よりも上方に位置するように行なわれる。
【００１６】
次に、各雌ねじ部材２００２の雌ねじに前記キャップ２０１０を螺合することにより前記雌ねじ内部が閉塞された状態とする。
次に、前記鉄筋１００４、中空部材１００６、雌ねじ部材２００２の上端を除く部分が埋設されるように前記デッキプレート１００２の上面にコンクリート１００８を打設する。
【００１７】
そして、コンクリート１００８を養生することによってボイドスラブ１０が施工される。
このように施工されたボイドスラブ１０は、前記中空部材１００６によって形成されたボイド部１０１０と、隣り合うボイド部１０１０の間に設けられたコンクリート１００８の厚みが厚いリブ部１０１２とを備えている。
次に、前記ボイドスラブ１０に埋設された前記各雌ねじ部材２００２から前記キャップ２０１０を取り外してから、前記雌ねじ部材２００２に雄ねじ部材２００４の一方の雄ねじ２００４Ａを螺合して取り付ける。これにより、前記ボイドスラブ１０のリブ部１０１２から複数の支持ボルトが立設することになる。
従って、この施工方法においては、リブ部鉄筋であるオムニア鉄筋１００４Ｃに床支持具２０の下端部分を固定する際には、この床支持具２０の雄ねじ部材２００４を取り外した雌ねじ部材２０００２だけを固定し、ボイドスラブ１０の完成後に雌ねじ部材２００２に雄ねじ部材２００４を螺合させるようにしている。
次いで、前記雄ねじ部材２００４の他方の雄ねじ２００４Ｂに前記防振材２００６の前記雌ねじを螺合させることにより、前記雄ねじ部材２００４に前記防振材２００６およびベースプレート２００８を取り付ける。なお、前記防振材２００６およびベースプレート２００８を雄ねじ部材２００４に予め組付けておき、このように予め組付けた状態で前記雄ねじ部材２００４の他方の雄ねじ２００４Ｂに前記防振材２００６の前記雌ねじを螺合させてもよい。
【００１８】
このようにボイドスラブ１０の上に前記床支持具２０、前記防振材２００６、ベースプレート２００８を配設した後、前記ベースプレート２００８上に前記下地ボード３００２を敷き込み、次いで、前記下地ボード３００２の上面に捨張り合板３００４を張り合わせることにより、捨張り合板３００４と下地ボード３００２を一体化する。そして、捨張り合板３００４の上面にフローリング３００６を張り合わせる。
したがって、前記床支持具２０は、下部がボイドスラブ１０のリブ部１０１２に埋設された状態で上部により前記防振材２００６を介して前記床材３０を支持しており、これにより防振防振二重床１００が構成される。
【００１９】
以上詳述したように、第１の実施の形態によれば、前記床支持具２０は、その下部がボイドスラブ１０のリブ部１０１２に埋設されているため、床材３０に加わる衝撃はボイド部１０１０に伝わることなくリブ部１０１２を介して下階室に伝達される。このため、ボイド部１０１０が加振されたときのような床衝撃音遮断特性の低下を防止することができる。すなわち、前記床材３０に加わった衝撃がボイドスラブ１０のボイド部１０１０を介して下階室に伝達される場合に比較して、床衝撃音遮断性能を向上することができる。
また、床支持具２０は、コンクリート打設前に、中空部材の間に雌ねじ部材を配設することで構成されるので、床支持具２０をボイドスラブ１０のリブ部１０１２に簡単かつ確実に配設できる。
また、床支持具２０は、予めボイドスラブ１０のリブ部１０１２に埋設された雌ねじ部２００２を介してボイドスラブ１０に取着されるため、コンクリート打設後にリブ部１０１２の箇所を見つけてマーキングする手間が掛からず、施工が容易となる。
【００２０】
また、コンクリート１００８の打設前に雌ねじ部材２００２にキャップ２０１０を取着することにより、打設されたコンクリート１００８が雌ねじ部材２００２の内部に流入することを簡単かつ確実に防止できる。
また、前記雌ねじ部材２００２に対する前記雄ねじ部材２００４の雄ねじ２００４Ａの螺合量を変えることにより、前記雄ねじ部材２００４の雌ねじ部材２００２に対する高さ位置、すなわち、前記ベースプレート２００８のボイドスラブ１０に対する高さ位置を任意に調整することができる。これにより、ボイドスラブ１０に対する床材３０の高さ位置の調整を容易に行なうことができる。
また、前記床支持具２０がボイドスラブ１０側に固定されているので、床材３０が床支持具２０とともに水平方向に移動することを防止でき、これにより際根太の設置を不要とすることができる。
また、床材３０の下面とコンクリート１００８の打設面との間に形成される空間は配線や配管のためのスペースとして利用することができる。
【００２１】
次に第２の実施の形態について説明する。
第２の実施の形態が第１の実施の形態と異なるのは、防振材の形状と、ベースプレートが設けられていない点である。
図３は本発明の第２の実施の形態における防振二重床、床支持具、防振二重床の施工方法を適用した二重床の全体構成を示す説明図であり、図４は図３のＡ部の拡大図である。図３、図４において、図１、図２と同様の部分には同一の符号を付してその説明を省略し、第１の実施の形態と異なる部分について重点的に説明する。
第２の実施の形態において、床支持具２０Ａは、前記雌ねじ部材２００２と、前記雄ねじ部材２００４と、該雄ねじ部材２００４の上部に固定された防振材２００６Ａとを備えて構成されている。
前記防振材２００６Ａは、球形を呈する圧縮型防振ゴムまたはせん断型防振ゴムから構成され、防振材２００６Ａの下部には前記雄ねじ２００４Ｂに螺合する前記雌ねじが形成されている。前記防振材２００６Ａは、球形に形成されているため、その球面状の上端が床材３０の下面に当接して支持するように構成されている。
【００２２】
防振二重床１００の施工方法は、第１の実施の形態と同様に、デッキプレート１００２の建て込み、下部鉄筋１００４Ａ、オムニア鉄筋１００４Ｃの配設、前記中空部材１００６の配設、上部鉄筋１００４Ｂの配設を行ない、前記床支持具２０Ａの雌ねじ部材２００２を鉄筋１００４に溶接または結束により固定する。次に、前記鉄筋１００４、中空部材１００６、雌ねじ部材２００２の上端を除く部分が埋設されるように前記デッキプレート１００２の上面にコンクリート１００８を打設する。
コンクリート打設に先立って各雌ねじ部材２００２の雌ねじに前記キャップ２０１０を螺合することは第１の実施の形態と同様である。
【００２３】
そして、コンクリート１００８を養生することによってボイドスラブ１０が施工される。
前記ボイドスラブ１０に埋設された前記各雌ねじ部材２００２から前記キャップ２０１０を取り外してから、前記雌ねじ部材２００２に雄ねじ部材２００４の一方の雄ねじ２００４Ａを螺合して取り付ける。
次いで、前記雄ねじ部材２００４の他方の雄ねじ２００４Ｂに前記防振材２００６Ａの前記雌ねじを螺合させることにより、前記雄ねじ部材２００４に前記防振材２００６Ａを取り付ける。
【００２４】
前記床支持具２０のボイドスラブ１０への取着後、前記防振材２００６Ａ上に前記下地ボード３００２を敷き込み、次いで、前記下地ボード３００２の上面に捨張り合板３００４を張り合わせることにより、捨張り合板３００４と下地ボード３００２を一体化する。そして、捨張り合板３００４の上面にフローリング３００６を張り合わせる。したがって、前記床支持具２０Ａは、下部がボイドスラブ１０のリブ部１０１２に埋設された状態で上部により前記防振材２００６Ａを介して前記床材３０を支持しており、これにより防振二重床１００が構成される。
【００２５】
以上詳述したように、第２の実施の形態によれば、前記第１の実施の形態と同様な効果が得られる。
さらに、第２の実施の形態では、防振材２００６Ａが球形を呈しているので、図４に破線で示すように、雌ねじ部材２００２が鉛直方向に対して傾斜した状態でコンクリート１００８に埋設されることにより、床支持具２０Ａが鉛直方向に対して多少傾斜しても、防振材２００６Ａの球面の箇所が床材３０の下面に当接することにより、常に安定して床材３０を支持することができる利点がある。
すなわち、床支持具２０Ａが鉛直方向に対して多少傾斜した状態であっても、前記雌ねじ部材２００２に対する前記雄ねじ部材２００４の雄ねじ２００４Ａの螺合量を変えることにより、ボイドスラブ１０に対する床材３０の高さ位置の調整を行なうことができる利点がある。
【００２６】
なお、前記各実施の形態においては、ボイドスラブ１０に埋設した雌ねじ部材２００２に螺合する雄ねじ部材２００４の螺合量を変えることで前記支持ボルトの長さ調節を行なったが、支持ボルトの長さを調整する構成は任意である。例えば、前記雌ねじ部材２００２の代わりに雄ねじ部材をボイドスラブ１０のリブ部１０１２に埋設し、この埋設した雄ねじ部材と前記雄ねじ部材２００４とをターンバックルで連結する構成とすれば、該ターンバックルの回転量を変えることで前記支持ボルトの長さ調節を行なうことができる。
また、本発明において、前記防振材は、防振性能を有するものであればよく、例えば空気ばねや金属ばねによって構成することができる。また、防振材の形状は任意であり、例えば円柱状や角柱状とすることができる。
【００２７】
【発明の効果】
以上説明したように本発明の防振二重床の施工方法によれば、床衝撃音遮断性能を向上するとともに、施工を容易とすることができる。
【図面の簡単な説明】
【図１】本発明の第１の実施の形態における防振二重床の全体構成を示す説明図である。
【図２】図１のＡ部の拡大図である。
【図３】本発明の第２の実施の形態における防振二重床の全体構成を示す説明図である。
【図４】図３のＡ部の拡大図である。
【図５】従来の二重床の構造を示す説明図である。
【図６】床材に衝撃を加えた場合に下階室に伝達される床衝撃音レベルの測定結果を示す線図である。
【符号の説明】
１０  ボイドスラブ
１００８  コンクリート
１０１０  ボイド部
１０１２  リブ部
２０、２０Ａ  床支持具
２００２  雌ねじ部材
２００４  雄ねじ部材
２００６、２００６Ａ  防振材
３０  床材
【図１】
0003888527.tif 000002
【図２】
0003888527.tif 000003
【図３】
0003888527.tif 000004
【図４】
0003888527.tif 000005
【図５】
0003888527.tif 000006
【図６】
0003888527.tif 000007